(57)【要約】【課題】ミネラルを溶出させ、又、水素が発生されることにより、微細なクラスターを有するミネラル水が得られ、飲料水等の形態で摂取することにより生体の免疫力が高まり、体の健康バランスを整えるミネラルを含む岩石の粉末及び／又は粒子より成るミネラル水製造用材料及びミネラル水製造用材料を提供する。【解決手段】少なくともＲｂ、Ｓｒ、Ｚｒ、Ｃｓ、Ｔｈのいずれか一種類以上が含まれる岩石の粉末３ａ及び／又は粒子３ｂに、Ｓｉ、Ａｌ、Ｆｅ，Ｍｇ、Ｋ他のいわゆる『薬石』の含有元素の複数が添加されて成るミネラル水製造用材料３が収容される不織布で成る袋４が、圧縮コイルばね７に収容され、さらにリング状に構成されたミネラル水製造具８が水１が充填される容器１に浸漬される。ミネラルが溶出され、遠赤外線の育成光線が放射され、又、水素が発生されることにより、微細なクラスターを有するミネラル水が得られる。このため、飲料水等の形態で摂取することにより生体の免疫力が高まり、体の健康バランスを整えることに寄与できる。【選択図】        図１
2005007362.tif 000002
【特許請求の範囲】
【請求項１】
少なくともＲｂが０．０３〜０．０６重量％、Ｓｒが０．００１〜０．０４重量％、Ｚｒが０．００１〜０．０４重量％、Ｃｓが０．００１〜０．０４重量％、Ｔｈが０．００１〜０．０１重量％のいずれか一種類以上を含む岩石の粉末及び／又は粒子に水を添加することを特徴とするミネラル水の製造方法。
【請求項２】
Ｔｉが０．８〜１．８重量％、Ｃａが０．５〜１．０重量％、Ｎａが０．０３〜０．０７重量％、Ｍｎが１．０〜１．８重量％、Ｚｎが０．０５〜０．１重量％、及び、その他の元素として、Ｃｒ、Ｃｕ、Ｂ、Ｂｉ、Ｂａ、Ｂｅ、Ｂｒ、Ｃｏ、Ｆ、Ｉ、Ｌｉ、Ｎｉ、Ｐ、Ｒｎ、Ｓ、Ｓｎ、Ｒａ、Ｖ、Ｍｏ、Ｗ、Ｔｉ、Ｇｅ、Ｓｅ、Ａｃ、Ｃｌのいずれか一種類以上を０．０００００１〜０．０２重量％添加し、残部はＳｉが２５．０〜４５．０重量％、Ａｌが１２．０〜２０．０重量％、Ｆｅが１０．０〜１５．０重量％、Ｍｇが６．０〜１０．０重量％、Ｋが２．５〜７．５重量％のいずれか一種類以上を含む岩石の粉末及び／又は粒子に水を添加する請求項１記載のミネラル水の製造方法。
【請求項３】
少なくともＲｂが０．０３〜０．０６重量％、Ｓｒが０．００１〜０．０４重量％、Ｚｒが０．００１〜０．０４重量％、Ｃｓが０．００１〜０．０１重量％、Ｔｈが０．００１〜０．０１重量％のいずれか一種類以上を含む岩石の粉末及び／又は粒子より成ることを特徴とするミネラル水製造用材料。
【請求項４】
Ｔｉが０．８〜１．８重量％、Ｃａが０．５〜１．０重量％、Ｎａが０．０３〜０．０７重量％、Ｍｎが１．０〜１．８重量％、Ｚｎが０．０５〜０．１重量％、及び、その他の元素として、Ｃｒ、Ｃｕ、Ｂ、Ｂｉ、Ｂａ、Ｂｅ、Ｂｒ、Ｃｏ、Ｆ、Ｉ、Ｌｉ、Ｎｉ、Ｐ、Ｒｎ、Ｓ、Ｓｎ、Ｒａ、Ｖ、Ｍｏ、Ｗ、Ｔｉ、Ｇｅ、Ｓｅ、Ａｃ、Ｃｌのいずれか一種類以上を０．０００００１〜０．０２重量％添加し、残部はＳｉが２５．０〜４５．０重量％、Ａｌが１２．０〜２０．０重量％、Ｆｅが１０．０〜１５．０重量％、Ｍｇが６．０〜１０．０重量％、Ｋが２．５〜７．５重量％のいずれか一種類以上から成る請求項３記載のミネラル水製造用材料。
【発明の詳細な説明】
【０００１】
【発明の属する技術分野】
本発明は、ミネラルを含有する岩石の微細粒を水に浸した液を飲料水とするミネラル水の製造方法及びミネラル水製造材料に関する。
【０００２】
【従来の技術】
従来、例えば、特開平０８−０５９４８８（特許文献１）において、健康増進剤が提案されている。上述の従来例は、長石質砂岩又は長石質ワッケに属する天然堆積岩石を主成分とし、酸化物としてＳｉＯ２、６４．１％；Ａｌ２Ｏ３、２０．２％；Ｋ２Ｏ、７．４６％；Ｃａ、０．６８％；ＭｇＯ、０．７３％を含有し，岩石含有希土類微量元素の組成比率が、Ｎｉ、０．０２２％；Ｒｂ、０．０３３％；Ｓｂ、０．００９％；Ｃｓ、０．０２１％；Ｐｂ、０．０２０％；Ｂｉ、０．０１６％；Ｙ、０．００７％；Ｌａ、０．０１３％；Ｂａ、０．０１７％；Ｚｎ、０．００８％；Ｃｕ，０．００４％を含有し、さらに赤外線などの電磁波及び黒体放射を放射する組成物である。有効成分は、岩石そのまま、或いは岩石を微細に粉砕又は、微細顆粒に、さらにセラミック加工や、錠剤、乳剤、ゼリー状など任意の形態で単独、又は他の飲食物あるいは加工製品に加工して用いられる。岩石そのものを水に浸した液を飲料水として用いたり、岩石、微粉末、加工品を浴槽に入れて用いることもできる。
【０００３】
【特許文献１】
特開平０８−０５９４８８公報（特許請求の範囲、０００８，０００９）
【０００４】
【発明が解決しようとする課題】
そこで、本発明は、ミネラルを溶出させ、又、水素が発生されることにより、微細なクラスターを有するミネラル水が得られ、飲料水等の形態で摂取することにより生体の免疫力が高まり、体の健康バランスを整えるミネラルを含む岩石の粉末及び／又は粒子より成るミネラル水製造用材料及びミネラル水製造用材料を提供することを目的とする。
【０００５】
【課題を解決するための手段】
請求項１の本発明は、少なくともＲｂが０．０３〜０．０６重量％、Ｓｒが０．００１〜０．０４重量％、Ｚｒが０．００１〜０．０４重量％、Ｃｓが０．００１〜０．０４重量％、Ｔｈが０．００１〜０．０１重量％のいずれか一種類以上を含む岩石の粉末及び／又は粒子に水を添加することを特徴とするミネラル水の製造方法である。
【０００６】
請求項２の本発明は、Ｔｉが０．８〜１．８重量％、Ｃａが０．５〜１．０重量％、Ｎａが０．０３〜０．０７重量％、Ｍｎが１．０〜１．８重量％、Ｚｎが０．０５〜０．１重量％、及び、その他の元素として、Ｃｒ、Ｃｕ、Ｂ、Ｂｉ、Ｂａ、Ｂｅ、Ｂｒ、Ｃｏ、Ｆ、Ｉ、Ｌｉ、Ｎｉ、Ｐ、Ｒｎ、Ｓ、Ｓｎ、Ｒａ、Ｖ、Ｍｏ、Ｗ、Ｔｉ、Ｇｅ、Ｓｅ、Ａｃ、Ｃｌのいずれか一種類以上を０．０００００１〜０．０２重量％添加し、残部はＳｉが２５．０〜４５．０重量％、Ａｌが１２．０〜２０．０重量％、Ｆｅが１０．０〜１５．０重量％、Ｍｇが６．０〜１０．０重量％、Ｋが２．５〜７．５重量％のいずれか一種類以上を含む岩石の粉末及び／又は粒子に水を添加する請求項１記載のミネラル水の製造方法である。
【０００７】
請求項３の本発明は、少なくともＲｂが０．０３〜０．０６重量％、Ｓｒが０．００１〜０．０４重量％、Ｚｒが０．００１〜０．０４重量％、Ｃｓが０．００１〜０．０１重量％、Ｔｈが０．００１〜０．０１重量％のいずれか一種類以上を含む岩石の粉末及び／又は粒子より成ることを特徴とするミネラル水製造用材料である。
【０００８】
請求項４の本発明は、Ｔｉが０．８〜１．８重量％、Ｃａが０．５〜１．０重量％、Ｎａが０．０３〜０．０７重量％、Ｍｎが１．０〜１．８重量％、Ｚｎが０．０５〜０．１重量％、及び、その他の元素として、Ｃｒ、Ｃｕ、Ｂ、Ｂｉ、Ｂａ、Ｂｅ、Ｂｒ、Ｃｏ、Ｆ、Ｉ、Ｌｉ、Ｎｉ、Ｐ、Ｒｎ、Ｓ、Ｓｎ、Ｒａ、Ｖ、Ｍｏ、Ｗ、Ｔｉ、Ｇｅ、Ｓｅ、Ａｃ、Ｃｌのいずれか一種類以上を０．０００００１〜０．０２重量％添加し、残部はＳｉが２５．０〜４５．０重量％、Ａｌが１２．０〜２０．０重量％、Ｆｅが１０．０〜１５．０重量％、Ｍｇが６．０〜１０．０重量％、Ｋが２．５〜７．５重量％のいずれか一種類以上から成る請求項３記載のミネラル水製造用材料である。
【０００９】
請求項１の本発明によれば、図１、図２に示されるように、岩石の粉末３ａ及び／又は粒子３ｂは、少なくともＲｂが０．０３〜０．０６重量％、Ｓｒが０．００１〜０．０４重量％、Ｚｒが０．００１〜０．０４重量％、Ｃｓが０．００１〜０．０４重量％、Ｔｈが０．００１〜０．０１重量％のいずれか一種類以上が含まれ、水１が添加される。
このため、岩石の粉末３ａ及び／又は粒子３ｂは、水１に溶けて上記ミネラルのエキスが溶出される。岩石の粉末３ａ及び／又は粒子３ｂから遠赤外線の育成光線が放射され、微細なクラスターを有するミネラル水が得られる。従って、飲料水等の形態で摂取することにより生体の免疫力が高まり、体の健康バランスを整えることに寄与できる。
【００１０】
請求項２の本発明によれば、図１、図３に示されるように、岩石の粉末及び／又は粒子は、Ｔｉが０．８〜１．８重量％、Ｃａが０．５〜１．０重量％、Ｎａが０．０３〜０．０７重量％、Ｍｎが１．０〜１．８重量％、Ｚｎが０．０５〜０．１重量％、及び、その他の元素として、Ｃｒ、Ｃｕ、Ｂ、Ｂｉ、Ｂａ、Ｂｅ、Ｂｒ、Ｃｏ、Ｆ、Ｉ、Ｌｉ、Ｎｉ、Ｐ、Ｒｎ、Ｓ、Ｓｎ、Ｒａ、Ｖ、Ｍｏ、Ｗ、Ｔｉ、Ｇｅ、Ｓｅ、Ａｃ、Ｃｌのいずれか一種類以上を０．０００００１〜０．０２重量％添加し、残部はＳｉが２５．０〜４５．０重量％、Ａｌが１２．０〜２０．０重量％、Ｆｅが１０．０〜１５．０重量％、Ｍｇが６．０〜１０．０重量％、Ｋが２．５〜７．５重量％のいずれか一種類以上が含まれ、水１が添加される。
このため、岩石の粉末３ａ及び／又は粒子３ｂは、水１に溶けて上記ミネラルのエキスが溶出される。岩石の粉末３ａ及び／又は粒子３ｂから遠赤外線の育成光線が放射され、又、Ｍｇが水と反応して水素が発生されることにより、微細なクラスターを有するミネラル水が得られる。従って、飲料水等の形態で摂取することにより生体の免疫力が高まり、体の健康バランスを整えることに寄与できる。
【００１１】
請求項３の本発明によれば、図１、図３に示されるように、岩石の粉末３ａ及び／又は粒子３ｂは、少なくともＲｂが０．０３〜０．０６重量％、Ｓｒが０．００１〜０．０４重量％、Ｚｒが０．００１〜０．０４重量％、Ｃｓが０．００１〜０．０１重量％、Ｔｈが０．００１〜０．０１重量％のいずれか一種類以上が含まれる。
このため、岩石の粉末３ａ及び／又は粒子３ｂは、水１に溶けて上記ミネラルのエキスが溶出される。岩石の粉末３ａ及び／又は粒子３ｂから遠赤外線の育成光線が放射され、微細なクラスターを有するミネラル水が得られる。従って、飲料水等の形態で摂取することにより生体の免疫力が高まり、体の健康バランスを整えることに寄与できる。
【００１２】
請求項４の本発明によれば、図１、図３に示されるように、ミネラル水製造用材料８は、Ｔｉが０．８〜１．８重量％、Ｃａが０．５〜１．０重量％、Ｎａが０．０３〜０．０７重量％、Ｍｎが１．０〜１．８重量％、Ｚｎが０．０５〜０．１重量％、及び、その他の元素として、Ｃｒ、Ｃｕ、Ｂ、Ｂｉ、Ｂａ、Ｂｅ、Ｂｒ、Ｃｏ、Ｆ、Ｉ、Ｌｉ、Ｎｉ、Ｐ、Ｒｎ、Ｓ、Ｓｎ、Ｒａ、Ｖ、Ｍｏ、Ｗ、Ｔｉ、Ｇｅ、Ｓｅ、Ａｃ、Ｃｌのいずれか一種類以上を０．０００００１〜０．０２重量％添加し、残部はＳｉが２５．０〜４５．０重量％、Ａｌが１２．０〜２０．０重量％、Ｆｅが１０．０〜１５．０重量％、Ｍｇが６．０〜１０．０重量％、Ｋが２．５〜７．５重量％のいずれか一種類以上から成る。
このため、岩石の粉末３ａ及び／又は粒子３ｂは、水１に溶けて上記ミネラルのエキスが溶出される。岩石の粉末３ａ及び／又は粒子３ｂから遠赤外線の育成光線が放射され、又、Ｍｇが水と反応して水素が発生されることにより、微細なクラスターを有するミネラル水が得られる。従って、飲料水等の形態で摂取することにより生体の免疫力が高まり、体の健康バランスを整えることに寄与できる。
【００１３】
【発明の実施の形態】
以下、本発明を、図面を参照して、その実施の形態に基づいて説明する。
図２、図３に示されるように、ミネラル水製造具８を構成する袋４は、伸縮性と通気性に優れた不織布より成る。材質は特に限定されない。その外皮２全面に炭化物質２ａ、好適には備長炭の小片が点状に印刷、固着される。袋４内にはミネラル水製造用材料８として、いわゆる『薬石』の含有元素である、少なくともＲｂが０．０３〜０．０６重量％、Ｓｒが０．００１〜０．０４重量％、Ｚｒが０．００１〜０．０４重量％、Ｃｓが０．００１〜０．０１重量％、Ｔｈが０．００１〜０．０１重量％のいずれか一種類以上が含まれる岩石の粉末３ａ及び／又は粒子３ｂが収容され、さらに、Ｔｉが０．８〜１．８重量％、Ｃａが０．５〜１．０重量％、Ｎａが０．０３〜０．０７重量％、Ｍｎが１．０〜１．８重量％、Ｚｎが０．０５〜０．１重量％、及び、その他の元素として、Ｃｒ、Ｃｕ、Ｂ、Ｂｉ、Ｂａ、Ｂｅ、Ｂｒ、Ｃｏ、Ｆ、Ｉ、Ｌｉ、Ｎｉ、Ｐ、Ｒｎ、Ｓ、Ｓｎ、Ｒａ、Ｖ、Ｍｏ、Ｗ、Ｔｉ、Ｇｅ、Ｓｅ、Ａｃ、Ｃｌのいずれか一種類以上を０．０００００１〜０．０２重量％添加し、残部はＳｉが２５．０〜４５．０重量％、Ａｌが１２．０〜２０．０重量％、Ｆｅが１０．０〜１５．０重量％、Ｍｇが６．０〜１０．０重量％、Ｋが２．５〜７．５重量％のいずれか一種類以上が添加される。
【００１４】
次に、ミネラル水製造用材料８が収容された袋４は、図２（ａ）、図２（ｃ）に示されるように、一端部５の外径５ａが他端部６の内径６ａより小さく先細形状に形成される圧縮コイルばね７内に収容され、さらに、一端部５が予め捩られた状態で他端部６の内径６ａ内に挿入され、一端部５の復元力により他端部６と連結されてミネラル水製造具８はリング状に構成される。又、図２（ｂ）に示されるように、圧縮コイルばね７の一端部５と他端部６の連結部分を化粧用連結金具１８で覆うこともできる。  図１に示されるように、ミネラル水製造具８は水１が充填される容器１９内に浸漬される。ミネラル水製造具８は可撓性を有するため、容器１９の形状、寸法や材質は限定されない。又、圧縮コイルばね７は、リング状以外に、直線状を含む他の形態も可能である。
このため、岩石の粉末３ａ及び／又は粒子３ｂは、水１に溶けて上記ミネラルのエキスが溶出される。岩石の粉末３ａ及び／又は粒子３ｂから遠赤外線の育成光線が放射され、又、Ｍｇが水と反応して水素が発生されることにより、微細なクラスターを有するミネラル水が得られる。従って、飲料水等の形態で摂取することにより生体の免疫力が高まり、体の健康バランスを整えることに寄与できる。
【００１５】
図４に示されるように、ミネラル水製造用材料８が封入された袋４が収容される円筒容器１６の材料は、好適にはステンレス鋼である。円筒形の外周部９全面に設けられる複数の孔１０は、ミネラル水製造用材料８からの溶出や水素発生反応が果たされれば良く、その形状、寸法、数は限定されない。又、図５に示されるように、メッシュ状１１に構成される容器１７も用途により可能である。ミネラル水製造用材料８が封入された袋４が収容され、両端部１４，１５は、それぞれ蓋１２，１３により密封される。
このため、携帯用容器等の小型の形態用途にも適用が可能である。
【００１６】
【発明の効果】
本発明は、以上説明したように、ミネラルを含む岩石の粉末及び／又は粒子により成るミネラル水製造用材料を水に浸漬させ、ミネラルを溶出させ、又、水素が発生されることにより、微細なクラスターを有するミネラル水が得られる。このため、飲料水等の形態で摂取することにより生体の免疫力が高まり、体の健康バランスを整えることに寄与するという効果を奏する。
【図面の簡単な説明】
【図１】本発明の一実施の形態に使用される装置の部分断面図である。
【図２】図２（ａ）は本発明の一実施の形態に使用される部分斜視図である。
図２（ｂ）は本発明の一実施の形態に使用される装置を構成する圧縮コイルばね連結部の平面図である。
図２（ｃ）は本発明の一実施の形態に使用される装置構成する圧縮コイルばねの両端部の平面図である。
図２（ｄ）は図２（ｂ）のＡ矢視断面図である。
図２（ｅ）は本発明の一実施の形態に使用される装置を構成する化粧用固定金具の斜視図である。
【図３】本発明の一実施の形態に使用される装置を構成する袋の斜視図である。
【図４】本発明の他の実施の形態に使用される装置の平面図である。
【図５】本発明の他の実施の形態に使用される装置の平面図である。
【符号の説明】
１  水                    ２  外皮            ２ａ    炭化物質
３  ミネラル水製造用材料  ３ａ  岩石の粉末      ３ｂ  岩石の粒子
４  袋            ５  圧縮コイルばねの一端    ５ａ  開口部
６  圧縮コイルばねの他端    ６ａ  開口部          ７  圧縮コイルばね
８  ミネラル水製造具      ９  外周部          １０  孔
１１  メッシュ状外周部    １２、１３  蓋      １４、１５  両端部
１４ａ、１５ａ    開口部    １６、１７  円筒容器      １８  化粧用固定金具
１９容器
【図１】
2005007362.tif 000003
【図２】
2005007362.tif 000004
【図３】
2005007362.tif 000005
【図４】
2005007362.tif 000006
【図５】
2005007362.tif 000007